(57)【要約】【課題】  複数のオーディオビジュアルコンテンツデータの再生にて特定シーンをユーザに強調する電子機器およびシーン強調方法を提供する。【解決手段】  動画像データとオーディオデータを含むオーディオビジュアルコンテンツデータを再生可能であり、分割された画面の夫々に複数の再生された動画像データを表示可能な電子機器において、所定の条件に基いて動画像データ中の特定のシーンを検出するともに、この検出された特定のシーンと関連付けられるオーディオデータを検出する。さらに、検出された特定のシーンをディスプレイに強調表示する場合に、特定のシーンと関連付けられたオーディオデータをスピーカから音として放出する。【選択図】  図７
2009253825.tif 000002
【特許請求の範囲】
【請求項１】
動画像データとオーディオデータを含むオーディオビジュアルコンテンツデータを再生可能な電子機器において、
再生された複数のオーディオビジュアルコンテンツデータに含まれる動画像データの中から所定の条件に基づいて特定シーンを検出するとともに、前記再生された複数のオーディオビジュアルコンテンツデータに含まれるオーディオデータの中から前記検出された特定シーンと関連付けられているオーディオデータを検出する検出手段と、
再生された複数の動画像データを表示する場合に、前記検出手段によって検出された前記特定シーンを強調表示する表示部と、
前記表示部に前記特定シーンを強調表示するときに、前記検出手段によって検出されたオーディオデータを音として放出するスピーカと、
を具備することを特徴とする電子機器。
【請求項２】
前記所定の条件は、ユーザによって指定された顔画像であることを特徴とする請求項１記載の電子機器。
【請求項３】
前記所定の条件は、音の大きさであることを特徴とする請求項１記載の電子機器。
【請求項４】
前記所定の条件は、ユーザによって指定された単語であることを特徴とする請求項１記載の電子機器。
【請求項５】
前記強調表示は、拡大表示であることを特徴とする請求項１記載の電子機器。
【請求項６】
前記強調表示は、点滅表示であることを特徴とする請求項１記載の電子機器。
【請求項７】
動画像データとオーディオデータを含むオーディオビジュアルコンテンツデータを再生可能な電子機器において、
再生されたオーディオビジュアルコンテンツデータに含まれる動画像データの中から所定の条件に基づいて特定シーンを検出する検出手段と、
前記検出手段によって検出された前記特定シーンと関連付けられたオーディオデータを検出する第２の検出手段と、
表示部に複数画面に区分けして夫々の画面に再生された複数の動画像データを表示する状態にて、前記検出手段によって検出された前記特定シーンを強調表示する強調表示手段と、
前記表示部に前記特定シーンを強調表示するタイミングで、前記第２の検出手段によって検出されたオーディオデータを音として放出するスピーカと、
を具備することを特徴とする電子機器。
【請求項８】
前記所定の条件は、ユーザによって指定された顔画像であることを特徴とする請求項７記載の電子機器。
【請求項９】
前記所定の条件は、音の大きさであることを特徴とする請求項７記載の電子機器。
【請求項１０】
前記所定の条件は、ユーザによって指定された単語であることを特徴とする請求項７記載の電子機器。
【請求項１１】
前記強調表示は、拡大表示であることを特徴とする請求項７記載の電子機器。
【請求項１２】
前記強調表示は、点滅表示であることを特徴とする請求項７記載の電子機器。
【請求項１３】
動画像データとオーディオデータを含むオーディオビジュアルコンテンツデータを再生可能な電子機器におけるシーン強調方法において、
再生された複数のオーディオビジュアルコンテンツデータに含まれる動画像データの中から所定の条件に基づいて特定シーンを検出するとともに、前記検出された前記特定シーンと関連付けられたオーディオデータを検出し、
再生された複数の動画像データを表示する状態にて、前記検出された前記特定シーンを表示部に強調表示し、
前記表示部に前記特定シーンを強調表示するタイミングで、前記検出されたオーディオデータを音としてスピーカから放出するシーン強調方法。
【請求項１４】
前記所定の条件は、ユーザによって指定された顔画像であることを特徴とする請求項１３記載のシーン強調方法。
【請求項１５】
前記所定の条件は、音の大きさであることを特徴とする請求項１３記載のシーン強調方法。
【請求項１６】
前記所定の条件は、ユーザによって指定された単語であることを特徴とする請求項１３記載のシーン強調方法。
【請求項１７】
前記強調表示は、拡大表示であることを特徴とする請求項１３記載のシーン強調方法。
【請求項１８】
前記強調表示は、点滅表示であることを特徴とする請求項１３記載のシーン強調方法。
【発明の詳細な説明】
【技術分野】
【０００１】
本発明は、オーディオビジュアルコンテンツデータの再生時に特定シーンを強調する電子機器およびシーン強調方法に関する。
【背景技術】
【０００２】
近年、プロセッサの処理能力向上、モニターの大型化に伴い、再生された複数のオーディオビジュアルコンテンツデータ中の動画像データを１つのモニターに表示する技術が開発されている。
【０００３】
特許文献１には、モニターに複数のコンテンツを表示させ、各コンテンツの盛り上がり度あるいは人気度の状態に応じて、マルチ画面の画面構成を変更し、音声に関しては、例えば、モニターの左側に表示されている番組の音声をスピーカから出力するように選択されていれば、左側に表示されている番組の音声のみがスピーカから出力され、右側の番組の音声は出力されない技術が開示されている。
【特許文献１】特開２００７−３１１９４２号公報（第５，７頁、第４図）
【発明の開示】
【発明が解決しようとする課題】
【０００４】
しかしながら、１つのモニターに複数の動画像データが表示される場合、ユーザは再生された動画像データ中の特定シーンのみに集中して、視聴したいニーズがある。
【０００５】
そこで、本発明は、複数のオーディオビジュアルコンテンツデータの再生にて特定シーンをユーザに強調する電子機器およびシーン強調方法を提供することを目的とする。
【課題を解決するための手段】
【０００６】
上記目的を達成するために、請求項１に関わる電子機器は、動画像データとオーディオデータを含むオーディオビジュアルコンテンツデータを再生可能な電子機器において、再生された複数のオーディオビジュアルコンテンツデータに含まれる動画像データの中から所定の条件に基づいて特定シーンを検出するとともに、前記再生された複数のオーディオビジュアルコンテンツデータに含まれるオーディオデータの中から前記検出された特定シーンと関連付けられているオーディオデータを検出する検出手段と、再生された複数の動画像データを表示する場合に、前記検出手段によって検出された前記特定シーンを強調表示する表示部と、前記表示部に前記特定シーンを強調表示するときに、前記検出手段によって検出されたオーディオデータを音として放出するスピーカと、を具備することを特徴とする。
【０００７】
また、請求項１３に関わるシーン強調方法は、動画像データとオーディオデータを含むオーディオビジュアルコンテンツデータを再生可能な電子機器におけるシーン強調方法において、再生された複数のオーディオビジュアルコンテンツデータに含まれる動画像データの中から所定の条件に基づいて特定シーンを検出するとともに、前記検出された前記特定シーンと関連付けられたオーディオデータを検出し、再生された複数の動画像データを表示する状態にて、前記検出された前記特定シーンを表示部に強調表示し、前記表示部に前記特定シーンを強調表示するタイミングで、前記検出されたオーディオデータを音としてスピーカから放出する。
【発明の効果】
【０００８】
本発明によれば、複数のオーディオビジュアルコンテンツデータの再生にて特定シーンをユーザに強調する電子機器およびシーン強調方法を提供することが可能となる。
【発明を実施するための最良の形態】
【０００９】
以下、図面を参照して、本発明の実施形態を説明する。
【００１０】
まず、図１乃至図３を参照して、本発明の一実施形態に係る電子機器の構成を説明する。本実施形態の電子機器は、例えば、デジタルテレビ１として実現されている。
【００１１】
図１は、デジタルテレビの一例を示す図である。
【００１２】
デジタルテレビ１は、本体部２０および本体部２０を支えるスタンド部２１とから構成される。
【００１３】
本体部２０の前面にはＬＣＤ１３が組み込まれている。ＬＣＤ１３にはオーディオビジュアルコンテンツデータに含まれる動画像データ等が表示される。
【００１４】
さらに、本体部２０はスピーカ１７を内蔵する。スピーカ１７は、デジタルテレビ１の前面の下部に位置するように設けられる。スピーカ１７は、オーディオビジュアルコンテンツデータに含まれるオーディオデータを音として放出する。次に、デジタルテレビ１のハードウェア構成について説明する。
【００１５】
図２は、デジタルテレビ１のハードウェア構成の一例について説明した図である。
【００１６】
チューナ１２は、チューナ１２に接続されるアンテナ１２ａを介してストリームデータであるデジタル放送番組データを受信する。例えばＭＰＥＧ２（Moving Picture Experts Group 2）といったＭＰＥＧ形式でエンコードされたストリームデータを受信する。
【００１７】
映像・音声処理部１１は、チューナ１２を介して入力されたデジタル放送番組データを処理する。映像・音声処理部１１は、動画像データおよびオーディオデータを含むオーディオビジュアルコンテンツデータであるデジタル放送番組データを、動画像データとオーディオデータとに分離処理を行い、分離処理することによって生成された夫々のデータに対してデコード処理を行い、さらに、デコード処理することで生成されたデータに対してレンダリング処理を行う。
【００１８】
映像・音声処理部１１は、レンダリング処理後の動画像データをＬＣＤ１３に出力し、一方、レンダリング処理後のオーディオデータをスピーカ１５に出力する。
【００１９】
ＨＤＤ１４は、チューナ１２によって受信されたデジタル放送番組データを記憶する。
【００２０】
コントローラ１０は、リモコン２から送信されるコマンドをデコードし、コマンド内容に応じて各制御を実行する。
【００２１】
また、コントローラ１０は、後述にて詳細に説明するが、マルチ表示アプリケーションを起動する。起動されたマルチ表示アプリケーションは、映像・音声処理部１１を用いて、動画像データおよびオーディオデータを処理する。このマルチ表示アプリケーションによって行われる処理については、後述にて詳細に説明する。次に、マルチ表示アプリケーションを実行して複数の動画像データをＬＣＤ１３に表示する状態について説明する。
【００２２】
図３は、マルチ表示アプリケーションを実行して複数の動画像データをＬＣＤ１３に表示する状態について説明する図である。
【００２３】
マルチ表示アプリケーションは、複数の動画像データを再生し、再生された複数の動画像データをＬＣＤ１３に表示する機能を有する。
【００２４】
図３に示すように、マルチ表示アプリケーションは、ＬＣＤ１３の画面領域を例えば８分割し、夫々の画面領域に、再生された動画像データｍｐ１乃至動画像データｍｐ８を表示する。
【００２５】
図３に示すように、マルチ表示アプリケーションを実行して、夫々の画面領域に、再生された動画像データｍｐ１乃至動画像データｍｐ８を表示する状態において、複数の動画像データの夫々に関連づけられている複数のオーディオデータを再生すると、複数の音が同時にスピーカ１７から放出されることになる。
【００２６】
そこで、マルチ表示アプリケーションは、夫々の画面領域に再生された動画像データｍｐ１乃至動画像データｍｐ８を表示する場合、通常、複数の動画像データの夫々に関連づけられている複数の音を同時にスピーカ１７から放出しない。
【００２７】
次に、マルチ表示アプリケーションの有する機能の中で、複数の動画像データを再生・表示する場合に特定シーンをユーザに対してアピールする機能について説明する。
【００２８】
図４（ａ）は、特定シーンをユーザに対してアピールする方法の一つである特定シーンの強調表示を行うための設定について説明する流れ図である。また、図４（ｂ）は、ユーザが強調表示方法を選択するためにＬＣＤ１３に表示される設定ウィンドウの一例を示す図である。
【００２９】
ユーザが、特定シーンを強調表示させたい場合、ユーザはマルチ表示アプリケーションの設定機能を起動させることで、図４（ｂ）に示される設定ウィンドウをＬＣＤ１３に表示させ、ユーザはこのウィンドウに示されている複数の強調表示方法の中から一つの強調表示方法を選択する。
【００３０】
マルチ表示アプリケーションが、図４（ｂ）に示される設定ウィンドウを介してユーザによって"特定シーンを拡大表示"が指定されたことを認識した場合（ステップ  Ｓ１００  Ｙｅｓ）、マルチ表示アプリケーションは、特定シーンを拡大表示するように設定する（ステップ  Ｓ１０１）。
【００３１】
マルチ表示アプリケーションが、"特定シーンを拡大表示"が指定されたことを認識しなかった場合（ステップ  Ｓ１００  Ｎｏ）、マルチ表示アプリケーションは、図４（ｂ）に示される設定ウィンドウを介してユーザによって"特定シーンを点滅表示"が指定されたことを認識したか否かを判断し、"特定シーンを点滅表示"が指定されたと判断した場合（ステップ  Ｓ１０２  Ｙｅｓ）、マルチ表示アプリケーションは、特定シーンを点滅表示するように設定する（ステップ  Ｓ１０４）。
【００３２】
マルチ表示アプリケーションが、"特定シーンを点滅表示"が指定されたことを認識しなかった場合（ステップ  Ｓ１０２  Ｎｏ）、マルチ表示アプリケーションは、特定シーンを強調表示しないように設定する（ステップ  Ｓ１０４）。
【００３３】
次に、複数の動画像データを再生する場合に強調表示されるシーンを特定するための設定例のうちの第一の実施例について説明する。
【００３４】
図５（ａ）は、強調表示されるシーンを特定するための設定例の一つである、顔画像に基づいてシーンを特定するための設定について説明する流れ図である。図５（ｂ）は、顔画像に基づいてシーンを特定するか否かをユーザが選択するためにＬＣＤ１３に表示される設定ウィンドウの一例を示す図である。図５（ｃ）は、強調表示されるシーンの特定に用いられる顔画像をユーザが指定するためにＬＣＤ１３に表示される設定ウィンドウの一例を示す図である。
【００３５】
ユーザによって指定された顔画像が含まれるシーンを特定させたい場合、ユーザは、マルチ表示アプリケーションの設定機能を起動させることで、図５（ｂ）に示される設定ウィンドウをＬＣＤ１３に表示させ、ユーザによって指定された顔画像が含まれるシーンを特定するのか否かを選択する。
【００３６】
"指定された顔画像が含まれるシーンを特定する"ことが図５（ｂ）に示される設定ウィンドウを介してユーザによって指定されたことを、マルチ表示アプリケーションが認識した場合（ステップ  Ｓ２００  Ｙｅｓ）、マルチ表示アプリケーションは、指定された顔画像が含まれるシーンを特定するよう設定する（ステップ  Ｓ２０１）。
【００３７】
マルチ表示アプリケーションが、指定された顔画像が含まれるシーンを特定するように設定すると、マルチ表示アプリケーションは、図５（ｃ）に示される設定ウィンドウをＬＣＤ１３に表示する（ステップ  Ｓ２０２）。
【００３８】
マルチ表示アプリケーションは、ステップＳ２０２にてＬＣＤ１３に表示された図５（ｃ）に示される設定ウィンドウを介してユーザによって指定された顔画像を解析する（ステップ  Ｓ２０３）。顔画像の解析の一例として、例えば、"目"、"鼻"、"口"といった顔の特徴部分を抽出する。マルチ表示アプリケーションは、ステップＳ２０３にて解析した結果を用いて、顔画像が含まれるシーンを特定する。
【００３９】
次に、図４を用いて説明した特定シーンの強調表示方法を選択する設定、および、図５を用いて説明した顔画像に基づくシーンを特定するための設定を終えた状態にてマルチ表示アプリケーションが行う複数のオーディオビジュアルコンテンツデータの再生処理の一例について説明する。ここで、図４を用いて説明した特定シーンの強調表示方法の選択設定にて拡大表示が選択された場合について説明する。
【００４０】
図６は、図４および図５を用いて説明した設定を終えた状態にてマルチ表示アプリケーションが行う複数のオーディオビジュアルコンテンツデータの再生処理の一例について説明する流れ図である。
【００４１】
以下の説明では、ＨＤＤ１４に予め記憶されている例えばデジタル放送番組データといったオーディオビジュアルコンテンツデータをマルチ表示アプリケーションが複数に分割することで複数のオーディオビジュアルコンテンツデータを生成し、この生成された複数のオーディオビジュアルコンテンツデータの夫々を再生した場合を説明する。
【００４２】
マルチ表示アプリケーションは、映像・音声処理部１１を用いて、複数のオーディオビジュアルコンテンツデータの夫々のデータを再生する（ステップ  Ｓ３００）。
【００４３】
マルチ表示アプリケーションは、再生された複数のオーディオビジュアルコンテンツデータの中の動画像データ中にユーザによって指定された顔画像が含まれているか否かを判断する（ステップ  Ｓ３０１）。
【００４４】
マルチ表示アプリケーションが、再生された動画像データ中にユーザによって指定された顔画像が含まれていると判断した場合（ステップ  Ｓ３０１  Ｙｅｓ）、再生された動画像データ中の顔画像が含まれているシーンを特定する（ステップ  Ｓ３０２）。
【００４５】
マルチ表示アプリケーションは、ステップＳ３０２にて特定したシーンをＬＣＤ１３に拡大表示する（ステップ  Ｓ３０３）。
【００４６】
ステップＳ３０３にて、特定したシーンをＬＣＤ１３に拡大表示する際、マルチ表示アプリケーションは、特定したシーンに関連付けられている再生されたオーディオデータを検出し、この検出されたオーディオデータをスピーカ１５から音として放出する（ステップ  Ｓ３０４）。
【００４７】
マルチ表示アプリケーションがステップＳ３０３およびステップＳ３０４にて実行する、特定シーンの拡大表示、および特定シーンに関連付けられている音の放出する状態について図７に示す。
【００４８】
このように、マルチ表示アプリケーションが、ユーザによって指定された顔画像が含まれている特定シーンをＬＣＤ１３に拡大表示するとともに、特定シーンに関連づけられているオーディオデータを音としてスピーカ１５から放出することで、ユーザは、ＬＣＤ１３に表示されている複数の動画像データの中で、自分が指定した顔画像が含まれているシーンを容易に見ることが可能となるとともに、そのシーンに関連付けられている音を聴くことが可能となる。
【００４９】
次に、複数の動画像データを再生する場合に強調表示されるシーンを特定するための設定例のうちの第二の実施例について説明する。
【００５０】
図８（ａ）は、強調表示されるシーンについて特定するための設定例の一つである、音の大きさに基づいてシーンを特定するための設定について説明する流れ図である。図８（ｂ）は、音の大きさに基づいてシーンを特定するか否かをユーザが選択するためにＬＣＤ１３に表示される設定ウィンドウの一例を示す図である。
【００５１】
音の大きさに基づいてシーンを特定させたい場合、ユーザは、マルチ表示アプリケーションの設定機能を起動させることで、図８（ｂ）に示される設定ウィンドウをＬＣＤ１３に表示させ、音の大きさに基づいてシーンを特定するのか否かを選択する。
【００５２】
"音の大きさに基づいてシーンを特定する"ことが図８（ｂ）に示される設定ウィンドウを介してユーザによって指定されたことを、マルチ表示アプリケーションが認識した場合（ステップ  Ｓ４００  Ｙｅｓ）、マルチ表示アプリケーションは、音の大きさに基づいてシーンを特定するよう設定する（ステップ  Ｓ４０１）。
【００５３】
次に、図４を用いて説明した特定シーンの強調表示方法を選択する設定、および図８を用いて説明した音の大きさに基づいてシーンを特定するための設定を終えた状態にて、マルチ表示アプリケーションが行う複数のオーディオビジュアルコンテンツデータの再生処理の一例について説明する。ここでは、図４を用いて説明した特定シーンの強調表示方法の選択設定にて拡大表示が選択設定された場合について説明する。
【００５４】
図９は、図４および図８を用いて説明した設定を終えた状態においてマルチ表示アプリケーションが行う複数のオーディオビジュアルコンテンツデータの再生処理の一例について説明する流れ図である。
【００５５】
以下の説明は、ＨＤＤ１４に予め記憶されている例えばデジタル放送番組データといったオーディオビジュアルコンテンツデータをマルチ表示アプリケーションが複数に分割することで複数のオーディオビジュアルコンテンツデータを生成し、この生成された複数のオーディオビジュアルコンテンツデータの夫々を再生した場合を説明する。
【００５６】
マルチ表示アプリケーションは、映像・音声処理部１１を用いて、複数のオーディオビジュアルコンテンツデータの夫々を再生する（ステップ  Ｓ５００）。
【００５７】
マルチ表示アプリケーションは、再生された複数のオーディオビジュアルコンテンツデータの中のオーディオデータが所定の閾値よりも大きいか否かを判断する（ステップ  Ｓ５０１）。
【００５８】
マルチ表示アプリケーションが、再生されたオーディオデータが所定の閾値よりも大きいと判断した場合（ステップ  Ｓ５０１  Ｙｅｓ）、動画像データの中から、所定の閾値よりも大きいと判断されたオーディオデータと関連付けられているシーンを特定する（ステップ  Ｓ５０２）。
【００５９】
マルチ表示アプリケーションは、ステップＳ５０２にて特定したシーンをＬＣＤ１３に拡大表示する（ステップ  Ｓ５０３）。
【００６０】
ステップＳ５０３にて、特定したシーンをＬＣＤ１３に拡大表示する際、マルチ表示アプリケーションは、特定したシーンに関連付けられているオーディオデータ、すなわち、所定の閾値よりも大きい値を有するデータと判断されたオーディオデータをスピーカ１５から音として放出する（ステップ  Ｓ５０４）。
【００６１】
マルチ表示アプリケーションがステップＳ５０３およびステップＳ５０４にて実行する、特定シーンの拡大表示、および特定シーンに関連付けられている音の放出の状態については、図１０に示す。
【００６２】
このように、マルチ表示アプリケーションが、特定されたシーンをＬＣＤ１３に拡大表示するとともに、特定シーンに関連づけられているオーディオデータをスピーカ１５から音として放出することで、ユーザは、ＬＣＤ１３に表示されている複数の動画像データの中で、所定の閾値よりも大きい値の音の大きさを有するシーン、例えば、歓声の大きさが大きいシーン等を容易に見ることが可能となり、さらに、そのシーンに関連付けられている音を聴くことが可能となる。
【００６３】
次に、複数の動画像データを再生している状態において強調表示されるシーンを特定するための設定例のうちの第三の実施例について説明する。
【００６４】
図１１（ａ）は、強調表示されるシーンについての特定方法の一つである、単語に基づくシーンを特定するための設定について説明する流れ図である。図１１（ｂ）は、単語に基づいてシーンを特定するか否かをユーザが選択するためにＬＣＤ１３に表示される設定ウィンドウの一例を示す図である。図１１（ｃ）は、強調表示されるシーンの特定に用いられる単語をユーザが指定するためにＬＣＤ１３に表示される設定ウィンドウの一例を示す図である。
【００６５】
単語に基づいてシーンを特定させたい場合、ユーザは、マルチ表示アプリケーションの設定機能を起動させることで、図１１（ｂ）に示される設定ウィンドウをＬＣＤ１３に表示させ、ユーザによって指定された単語に基づいてシーンを特定するのか否かを選択する。
【００６６】
"単語に基づいてシーンを特定する"ことが図１１（ｂ）に示される設定ウィンドウを介してユーザによって指定されたことを、マルチ表示アプリケーションが認識した場合（ステップ  Ｓ６００  Ｙｅｓ）、マルチ表示アプリケーションは、ユーザによって指定された単語に基づいてシーンを特定するよう設定する（ステップ  Ｓ６０１）。
【００６７】
マルチ表示アプリケーションが、ユーザによって指定された単語に基づいてシーンを特定するように設定すると、マルチ表示アプリケーションは、図１１（ｃ）に示される設定ウィンドウをＬＣＤ１３に表示する（ステップ  Ｓ６０２）。
【００６８】
図１１（ｃ）に示される設定ウィンドウを介してユーザによって単語が指定されたことを、マルチ表示アプリケーションが認識すると、マルチ表示アプリケーションは、シーンを特定するために用いられる単語を設定する（ステップ  Ｓ６０３）。
【００６９】
次に、図４を用いて説明した特定シーンの強調表示方法を選択する設定、および図１１を用いて説明したユーザによって指定された単語に基づいてシーンを特定するための設定を終えた状態において、マルチ表示アプリケーションが行う複数のオーディオビジュアルコンテンツデータの再生処理の一例について説明する。ここでは、図４を用いて説明した特定シーンの強調表示方法の選択設定にて拡大表示が選択設定された場合について説明する。
【００７０】
図１２は、図４および図１１を用いて説明した設定を終えた状態においてマルチ表示アプリケーションが行う複数のオーディオビジュアルコンテンツデータの再生処理の一例について説明する流れ図である。
【００７１】
以下の説明は、ＨＤＤ１４に予め記憶されている例えばデジタル放送番組データといったオーディオビジュアルコンテンツデータをマルチ表示アプリケーションが複数に分割することで複数のオーディオビジュアルコンテンツデータを生成し、この生成された複数のオーディオビジュアルコンテンツデータの夫々を再生した場合を説明する。
【００７２】
マルチ表示アプリケーションは、映像・音声処理部１１を用いて、複数のオーディオビジュアルコンテンツデータの夫々を再生する（ステップ  Ｓ７００）。
【００７３】
マルチ表示アプリケーションは、再生された複数のオーディオビジュアルコンテンツデータの中のオーディオデータにユーザによって指定された単語が含まれているか否かを判断する（ステップ  Ｓ７０１）。
【００７４】
マルチ表示アプリケーションが、再生されたオーディオデータにユーザによって指定された単語が含まれていると判断した場合（ステップ  Ｓ７０１  Ｙｅｓ）、指定された単語が含まれているオーディオデータと関連付けられている動画像データ中のシーンを特定する（ステップ  Ｓ７０２）。
【００７５】
マルチ表示アプリケーションは、ステップＳ７０２にて特定したシーンをＬＣＤ１３に拡大表示する（ステップ  Ｓ７０３）。
【００７６】
ステップＳ７０３にて、特定したシーンをＬＣＤ１３に拡大表示する際、マルチ表示アプリケーションは、特定したシーンに関連付けられているオーディオデータ、すなわち、ユーザによって指定された単語が含まれているオーディオデータをスピーカ１５から音として放出する（ステップ  Ｓ７０４）。
【００７７】
マルチ表示アプリケーションがステップＳ７０３およびステップＳ７０４にて実行する、特定シーンの拡大表示、および特定シーンに関連付けられている音の放出については、図１３に示す。
【００７８】
このように、マルチ表示アプリケーションが、特定されたシーンをＬＣＤ１３に拡大表示するとともに、特定シーンに関連づけられているオーディオデータをスピーカ１５から音として放出することで、ユーザは、ＬＣＤ１３に表示されている複数の動画像データの中で、ユーザによって指定された単語が含まれるオーディオデータと関連付けられるシーンを容易に見ることが可能となり、さらに、そのシーンに関連付けられている音を聴くことが可能となる。
【００７９】
上述の実施形態では、特定シーンを強調表示する例を説明したが、これに限ること無く、特定シーンのサイズ可変表示（数秒〜数マイクロ秒おきに、対象とする特定シーンの表示サイズを交互に変えて表示する）、特定シーン以外の動画像データが表示されるＬＣＤ１３の画面部分の輝度を下げる表示といった表示方法を用いて、特定シーンを強調表示してもよい。
【００８０】
また、上述の実施形態では、ＨＤＤ１４に記憶されているオーディオビジュアルコンテンツデータを複数のデータに分割して、再生された複数のデータを分割されたＬＣＤ１３の画面に表示する構成を説明した。この構成は、オーディオビジュアルコンテンツデータの閲覧時間を縮小できる、といったメリットがある。しかしながら、この構成に限ることは無く、例えば、デジタルテレビ１に複数のチューナを搭載し、これら複数のチューナにて受信したオーディオビジュアルコンテンツデータを再生して、分割されたＬＣＤ１３の画面に表示する構成であってもよい。
【００８１】
また、上述の実施形態では、ユーザによって強調表示されるシーンを特定するための設定を行う構成を説明したが、この構成に限ることは無く、例えば、ユーザが選択したオーディオビジュアルコンテンツデータの種類、内容等に応じて、マルチ表示アプリケーションが強調表示されるシーンを特定するための設定を自動的に行う構成であってもよい。
【００８２】
また、上述の実施形態にて特定のシーンを強調表示する構成について説明したが、この強調表示されるシーンをＬＣＤ１３の全画面に表示したい場合、ユーザがリモコン２を用いてデジタルテレビ１に、強調表示されているシーンを全画面表示するためのコマンドを送信し、このコマンドに基づいてマルチ表示アプリケーションが強調表示されるシーンをＬＣＤ１３に全画面表示する構成であってもよい。
【００８３】
さらに、デジタルテレビ１に複数のチューナを搭載し、これら複数のチューナにて受信したオーディオビジュアルコンテンツデータを再生して分割されたＬＣＤ１３の画面に表示させ、強調表示されるシーンをＬＣＤ１３の全画面に表示させる場合、強調表示されるシーン以外のチューナにて受信されたオーディオビジュアルコンテンツデータをＨＤＤ１４に自動的に記憶させる構成であってもよい。
【００８４】
また、上述の実施形態において、特定のシーンを強調表示するための設定について、ユーザによる顔画像の指定、単語の指定といった構成を説明したが、これらユーザによる指定操作をリモコン２を用いて行う構成であってよい。
【００８５】
また、上述の実施形態では、オーディオデータから単語を抽出する例について説明したが、この構成に限ることは無く、例えば、オーディオビジュアルコンテンツデータに含まれるテロップデータから単語を抽出する構成であってもよい。
【００８６】
また、拡大表示や点滅表示のように、強調表示された動画を視聴する場合、視聴対象となっていない動画については、タイムシフト録画のような機能を用いて、見逃しを避ける構成であってもよい。
【００８７】
本発明は上記実施形態をそのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示されている全構成要素から幾つかの構成要素を削除してもよい。さらに、異なる実施形態にわたる構成要素を適宜組み合わせてもよい。
【図面の簡単な説明】
【００８８】
【図１】本発明の一実施形態に係る電子機器の概観の例を示す斜視図。
【図２】同実施形態の電子機器のシステム構成の例を示すブロック図。
【図３】マルチ表示アプリケーションを実行して複数の動画像データをＬＣＤ１３に表示する状態について説明する図。
【図４】図４（ａ）は、特定シーンをユーザに対してアピールする方法の一つである特定シーンの強調表示を行うための設定について説明する流れ図。また、図４（ｂ）は、ユーザが強調表示方法を選択するためにＬＣＤ１３に表示される設定ウィンドウの一例を示す図。
【図５】図５（ａ）は、強調表示されるシーンを特定するための設定例の一つである、顔画像に基づいてシーンを特定するための設定について説明する流れ図。図５（ｂ）は、ユーザが顔画像に基づいてシーンを特定するか否かを選択するためにＬＣＤ１３に表示される設定ウィンドウの一例を示す図。図５（ｃ）は、強調表示されるシーンの特定に用いられる顔画像をユーザが指定するためにＬＣＤ１３に表示される設定ウィンドウの一例を示す図。
【図６】図４および図５を用いて説明した設定を終えた状態にてマルチ表示アプリケーションが行う複数のオーディオビジュアルコンテンツデータの再生処理の一例について説明する流れ図。
【図７】特定シーンの拡大表示、および特定シーンに関連付けられている音の放出する状態を示す図。
【図８】図８（ａ）は、強調表示されるシーンについての特定するための設定例の一つである、音の大きさに基づいてシーンを特定するための設定について説明する流れ図。図８（ｂ）は、音の大きさに基づいてシーンを特定するか否かをユーザが選択するためにＬＣＤ１３に表示される設定ウィンドウの一例を示す図。
【図９】図４および図８を用いて説明した設定を終えた状態においてマルチ表示アプリケーションが行う複数のオーディオビジュアルコンテンツデータの再生処理の一例について説明する流れ図。
【図１０】特定シーンの拡大表示、および特定シーンに関連付けられている音の放出する状態を示す図。
【図１１】図１１（ａ）は、強調表示されるシーンについての特定方法の一つである、単語に基づくシーンを特定するための設定について説明する流れ図。図１１（ｂ）は、単語に基づいてシーンを特定するか否かをユーザが選択するためにＬＣＤ１３に表示される設定ウィンドウの一例を示す図。図１１（ｃ）は、強調表示されるシーンの特定に用いられる単語をユーザが指定するためにＬＣＤ１３に表示される設定ウィンドウの一例を示す図。
【図１２】図４および図１１を用いて説明した設定を終えた状態においてマルチ表示アプリケーションが行う複数のオーディオビジュアルコンテンツデータの再生処理の一例について説明する流れ図。
【図１３】特定シーンの拡大表示、および特定シーンに関連付けられている音の放出する状態を示す図。
【符号の説明】
【００８９】
１…デジタルテレビ、１１…映像・音声処理部、１２…チューナ、
１３…ＬＣＤ、１４…ＨＤＤ、１７…スピーカ、２０…本体部、
２１…スタンド部、
【図１】
2009253825.tif 000003
【図２】
2009253825.tif 000004
【図３】
2009253825.tif 000005
【図４】
2009253825.tif 000006
【図５】
2009253825.tif 000007
【図６】
2009253825.tif 000008
【図７】
2009253825.tif 000009
【図８】
2009253825.tif 000010
【図９】
2009253825.tif 000011
【図１０】
2009253825.tif 000012
【図１１】
2009253825.tif 000013
【図１２】
2009253825.tif 000014
【図１３】
2009253825.tif 000015